(57)【要約】【課題】  特定条件下におけるコンクリートの充填性及び挙動を確認することができるコンクリートの充填性確認試験体の提供。【解決手段】  前後方向に間隔を置いて平行配置された長方形の前後面両型板２１，２２と、前後面両型板の一方の短辺間部を閉鎖する固定式短辺側面型板２３と、前記前後面型板の一方の長辺間部を閉鎖する固定式長辺側面型板２４とをもって他方の長辺間部及び短辺間部が解放された箱状に形成され、開放された長辺間部又は短辺間部を上側にして設置されるようにした試験体本体２５と、他方の短辺間部を開閉可能に閉鎖する開閉式短辺側面型板２６と、他方の長辺間部を開閉可能に閉鎖する開閉式長辺側面型板２７とを備え、スタッド等の補強連結材類を想定した棒状障害物３０，３０を各型板内側面に着脱可能に取り付けられるようにした。【選択図】  図２
2006112927.tif 000002
【特許請求の範囲】
【請求項１】
前後方向に間隔を置いて平行配置された長方形の前後面両型板と、該前後面両型板の一方の短辺間部を閉鎖する固定式短辺側面型板と、前記前後面型板の一方の長辺間部を閉鎖する固定式長辺側面型板とをもって他方の長辺間部及び短辺間部が解放された箱状に形成され、該開放された長辺間部又は短辺間部を上側にして設置されるようにした試験体本体と、
前記他方の短辺間部を開閉可能に閉鎖する開閉式短辺側面型板と、
前記他方の長辺間部を開閉可能に閉鎖する開閉式長辺側面型板とを備え、
スタッド等の補強連結材類を想定した棒状障害物を前記各型板内側面に着脱可能に取り付けられるようにしたことを特徴としてなるコンクリートの充填性確認試験体。
【請求項２】
棒状障害物をスタッドボルト状の模擬部材とし、型板には、前記模擬部材が取り付け可能な複数のネジ穴を間隔を置いて配置した請求項１に記載のコンクリートの充填性確認試験体。
【請求項３】
前後面型板は、開閉式型板の側縁をスライド自在に支持するスライド溝を備えた請求項１又は２に記載のコンクリートの充填性確認試験体。
【請求項４】
各型板を透明な板材をもって構成した請求項１、２又は３に記載のコンクリートの充填性確認試験体。
【発明の詳細な説明】
【技術分野】
【０００１】
本発明は、高流動コンクリートやモルタル等の充填性を評価するためのコンクリートの充填性確認試験体に関する。
【背景技術】
【０００２】
近年、フレッシュな状態でも十分な材料分離抵抗性を有しながら流動性に優れ、バイブレータ等による締め固めを行わずとも、鉄筋が配筋された型枠内に十分行き渡るように打設することができる高流動コンクリートが実用化されている。
【０００３】
このような高流動コンクリートでは、型枠内に良好に充填されることが極めて重要になってくるので、作業現場においてコンクリートが確実に型枠内に充填される条件（コンクリートの充填性能）を予め把握しておくこと、即ち、自己充填性、間隙通過性及び流動性を把握しておくことが必要となる。
【０００４】
この高流動コンクリートの自己充填性の確認は、主にスランプフロー試験により行われ、図７に示すように、コンクリート１を詰めたスランプコーン２を平板３上で鉛直方向に引き抜き、それによりスランプコーン２より流下して平板３上で広がるコンクリート１の諸条件（広がり直径、所定の位置まで広がるのに要する時間等）を測定するようになっている。
【０００５】
間隙通過性は、図８に示すように、Ｕ型充填装置やボックス充填装置等、仕切り版４により隔離された両空間５，６を鉄筋等を格子状に配置した流動障害物７を介して底部で連通させた充填装置を使用し、一方の空間５に充填されたコンクリート８を流動障害物７を通して他方の空間６に停止するまで流動させ、その際の流動開始から停止するまでの時間（充填時間）や他方の空間に充填されたコンクリートの高さ（充填高さ）等を測定し、それにより確認するようになっている。
【０００６】
流動性の確認は、主に漏斗流下速度試験により行われ、図９に示すように、漏斗９内に充填したコンクリート１０の流下開始からの時間を測定し、それを基に流下速度や流下性状指数等を計算により求め、それにより判断されるようになっている。
【０００７】
また、コンクリートの充填性確認試験として、図１０に示すように、直方体状の箱体１１の内部を底部で連通する複数の空間１２，１３，１４に仕切り、一方の端の空間１２に高流動コンクリート１５を投入することにより、該高流動コンクリート１５を自重により底部の連通個所を通して他の空間１３，１４に向けて流動させ、各空間１２，１３，１４におけるコンクリートの充填高さ等を測定することにより、コンクリートの充填性を簡易且つ定量的に確認することができる試験方法も開発されている（特許文献１を参照）。
【特許文献１】特開２０００−２７４３７号公報
【発明の開示】
【発明が解決しようとする課題】
【０００８】
しかし、上述の如きコンクリートの自己充填性、間隙通過性及び流動性についての従来の各試験は、一般的状況を想定した汎用的な試験にすぎず、実際の型枠内での具体的な充填性能や挙動を十分に把握することができず、特定工法の具体的状況下における充填性能を確実に確認することができないという問題があった。
【０００９】
そこで本発明は、上述の従来技術の問題を鑑み、特定条件下におけるコンクリートの充填性及び挙動を確認することができるコンクリートの充填性確認試験体の提供を目的とする。
【課題を解決するための手段】
【００１０】
上述の如き従来の問題を解決し、所期の目的を達成するための請求項１に記載の発明は、前後方向に間隔を置いて平行配置された長方形の前後面両型板と、該前後面両型板の一方の短辺間部を閉鎖する固定式短辺側面型板と、前記前後面型板の一方の長辺間部を閉鎖する固定式長辺側面型板とをもって他方の長辺間部及び短辺間部が解放された箱状に形成され、該開放された長辺間部又は短辺間部を上側にして設置されるようにした試験体本体と、
前記他方の短辺間部を開閉可能に閉鎖する開閉式短辺側面型板と、
前記他方の長辺間部を開閉可能に閉鎖する開閉式長辺側面型板とを備え、
スタッド等の補強連結材類を想定した棒状障害物を前記各型板内側面に着脱可能に取り付けられるようにしたコンクリートの充填性確認試験体であることを特徴とする。
【００１１】
請求項２に記載の発明は、請求項１の構成に加え、棒状障害物をスタッドボルト状の模擬部材とし、型板には、前記模擬部材が取り付け可能な複数のネジ穴を間隔を置いて配置したことを特徴とする。
【００１２】
請求項３に記載の発明は、請求項１又は２の構成に加え、前後面型板は、開閉式型板の側縁をスライド自在に支持するスライド溝を備えたことを特徴とする。
【００１３】
請求項４に記載の発明は、請求項１、２又は３の構成に加え、各型板を透明な板材をもって構成したことを特徴とする。
【発明の効果】
【００１４】
本発明に係るコンクリートの充填性確認試験体は、前後方向に間隔を置いて平行配置された長方形の前後面両型板と、該前後面両型板の一方の短辺間部を閉鎖する固定式短辺側面型板と、前記前後面型板の一方の長辺間部を閉鎖する固定式長辺側面型板とをもって他方の長辺間部及び短辺間部が解放された箱状に形成され、該開放された長辺間部又は短辺間部を上側にして設置されるようにした試験体本体と、前記他方の短辺間部を開閉可能に閉鎖する開閉式短辺側面型板と、前記他方の長辺間部を開閉可能に閉鎖する開閉式長辺側面型板とを備え、スタッド等の補強連結材類を想定した棒状障害物を前記各型板内側面に着脱可能に取り付けられるようにしたことによって、特定状況下におけるコンクリートの充填性能を具体的に把握することができるとともに、棒状障害物の配置を変更することによって複数のパターンにおけるコンクリートの充填性能を計測することができる。具体的には、縦方向に立てて使用することにより柱状構造部材を形成する際のコンクリート充填性能を模擬的に試験することができ、横方向に倒して使用することにより梁状構造部材を形成する際のコンクリート充填性能を模擬的に試験することができる。また、開閉式短辺側面型板又は開閉式長辺側面型板の一方を開いてコンクリート投入口を確保するとともに、試験終了後他方の開閉式側面型板を開いて投入されたコンクリートを硬化する前に好適に排出することができ、繰り返し利用することができる。
【００１５】
棒状障害物をスタッドボルト状の模擬部材とし、型板には、前記模擬部材が取り付け可能な複数のネジ穴を間隔を置いて配置したことによって、好適に棒状障害物の位置を変更することができる。
【００１６】
前後面型板は、開閉式型板の側縁をスライド自在に支持するスライド溝を備えたことによって、短辺側面型板及び長辺側面型板をそれぞれ好適に開閉させることができる。
【００１７】
各型板を透明な板材をもって構成したことによって、内部の状態を目視し、コンクリートの挙動を把握することができる。
【発明を実施するための最良の形態】
【００１８】
次に、本発明に係るコンクリートの充填性確認試験体について説明する。
【００１９】
図１〜図３は、充填性確認試験体の一例を示している。
【００２０】
この充填性確認試験体２０は、前後方向に間隔を置いて平行に配置された長方形の前後面両型板２１，２２と、前後面両型板２１，２２の一方の短辺間部を閉鎖する固定式短辺側面型板２３と、前後面両型板２１，２２の一方の長辺間部を閉鎖する固定式長辺側型板２４とをもって他方の短辺間部及び長辺間部が開放された箱状に形成された試験体本体２５と、他方の短辺間部を開閉可能に閉鎖する開閉式短辺側面型板２６と、他方の長辺間部を開閉自在に閉鎖する開閉式長辺側面型板２７とを備え、柱状構造部材又は梁状構造部材を形成する場合の実際にコンクリートが充填される部分（コンクリート充填部）の一部を模した中空箱状の直方体に形成されている。
【００２１】
前面型板２１及び後面型板２２は、長方形状に透明なアクリル板により形成されている。
【００２２】
この前後面両型板２１，２２の一方の短辺部内面には、図４に示すように、一対のスライドガイド部材２８ａ，２８ａが平行に固定され、両スライドガイド部材２８ａ，２８ａ間に開閉式短辺側面型板２６の側縁がスライド自在に支持されるスライド溝２８が形成されている。
【００２３】
同様に、前後面両型板２１，２２の一方の長辺部内面にも、一対のスライドガイド部材２８ａ，２８ａが平行に固定され、両スライドガイド部材２８ａ，２８ａ間に開閉式長辺側面型板２７の側縁がスライド自在に支持されるスライド溝２８が形成されている。
【００２４】
また、前後面両型板２１，２２の内側面には、所定の間隔を置いて複数の固定用ネジ穴２９，２９…が形成され、このネジ穴２９，２９…により、前後面両型板２１，２２の内側面の所望の位置に棒状障害物３０，３０を着脱できるようにしている。即ち、棒状障害物３０，３０…の配置は、固定するネジ穴２９を変更することによって容易に変更できるようになっている。
【００２５】
例えば図示の例では、棒状障害物３０，３０…の配置が前後面両型板２１，２２で異なり、１／２ピッチ分ずれて配置されており、前後面両型板２１，２２が互いに対向されているので、一方の前面型板２１より突出した棒状障害物３０，３０の間に後面型板２２より突出した棒状障害物３０，３０が配置されるようになっている。
【００２６】
棒状障害物３０は、図５に示すように、スタッド等の補強連結材類を想定した頭付スタッドボルト状の模擬部材であり、先端のネジ部３１を固定用ネジ穴２９に螺合させ、更に、前後面両型板２１，２２の外側面より突出した部分にアクリル製の補強用ナット３２を螺合させることにより固定されるようになっている。
【００２７】
このスタッドボルト状の模擬部材３０の長さは、前後面両型板２１，２２間距離の半分より長く形成されている。
【００２８】
固定式短辺側面型板２３及び開閉式短辺側面型板２６は、透明なアクリル板材をもって形成され、固定式短辺側面型板２３は、前後面両型板２１，２２の一方の短辺側端面に固定され、前後面両型板２１，２２の一方の短辺間部を閉鎖し、開閉式短辺側面型板２６は、その両側縁がスライド溝２８，２８にスライド可能に嵌め込まれて、前後面両型板２１，２２の他方の短辺間部にスライド開閉可能な状態で配置されている。
【００２９】
固定式長辺側面型板２４及び開閉式長辺側面型板２７は、透明なアクリル板材をもって形成され、固定式長辺側面型板２４は、前後面両型板２１，２２の一方の長辺側端面に固定され、前後面両型板２１，２２の一方の長辺間部を閉鎖し、開閉式長辺側面型板２７は、その両側縁がスライド溝２８，２８にスライド可能に嵌め込まれて、前後面両型板２１，２２の他方の長辺間部にスライド開閉可能な状態で配置されている。
【００３０】
尚、開閉式短辺側面型板２６及び開閉式長辺側面型板２７には、外側面にスライド用取手３３，３３が固定されている。
【００３１】
このように構成された充填性確認試験体２０は、縦方向に立てて、即ち、開閉式短辺側面型板２６が上側に配置されるように設置することによって、柱状構造部材を形成する際にコンクリートが充填される部分、即ちコンクリート充填部の一部を模した形状となり、横方向に寝かせて、即ち、開閉式長辺側面型板２７が上側に配置されるように設置することによって、梁状構造部材を形成する際にコンクリートが充填される部分、即ちコンクリート充填部の一部を模した形状となる。従って、一つの充填性確認試験体２０によって、例えば、互いに交差する柱状構造部材及び梁状構造部材を有する構造物を構築する場合における各コンクリート充填部のコンクリート充填性能について試験することができる。
【００３２】
また、実際の使用状況に合わせて箱内部には、フープ筋３４等の障害物が収容配置され、各スタッドボルト状模擬部材３０，３０…の頭部が結束帯等を用いてフープ筋３４に取り付けられるようになっている。
【００３３】
この充填性確認試験体２０を用いて充填性能を確認する方法について、互いに交差する柱状構造部材と梁状構造部材とを有する構造物を構築する場合を例に説明する。
【００３４】
まず、図６（ａ）に示すように、スライド開閉可能な開閉式短辺側面型板２６を上にして縦方向に立てて設置し、開閉式短辺側面型板２６をスライドさせて上側を開口させ、開閉式長辺側面型板２７は閉じた状態にし、開口部より被試験対象のコンクリート３５を投入し、その際のコンクリート投入開始より充填完了までの時間（充填速度）等を計測する。
【００３５】
尚、前後面両型板２１，２２、固定式短辺側面型板２３、固定式長辺側面型板２４、開閉式短辺側面型板２６及び開閉式長辺側面型板２７が透明なアクリル板により構成されているので、充填性確認試験体２０内の流動状況を目視により確認することができる。
【００３６】
これにより、柱状構造部材を形成する際のコンクリート３５の充填性能を模擬的に把握することができる。
【００３７】
そして、図６（ｂ）に示すように、充填が完了し、各測定を終えたら、図６（ｃ）に示すように、開閉式長辺側面型板２７を上向きにスライドさせ、充填性確認試験体２０の側面を開口させ、硬化する前のコンクリート３５を排出させ、更に内部を洗浄して再利用可能な状態とする。
【００３８】
同様の実験を実際の構造物を構築する際の条件に応じて、コンクリートの配合や棒状障害物（スタッドボトル状模擬部材）３０，３０…の配置等を違えて行い、柱状構造部材を形成する際の最適な諸条件を確認する。
【００３９】
一方、梁状構造部材の充填性確認試験では、充填性確認試験体２０をスライド開閉可能な開閉式長辺側面型板２７を上側にして横方向に寝かせて設置し、開閉式長辺側面型板２７をスライドさせて上側を開口させ、開閉式短辺側面型板２６を閉じた状態にして図６に示す柱状構造部材の充填性試験と同様に、開口部より被試験対象のコンクリートを投入し、その際のコンクリート投入開始より充填完了までの時間（充填速度）等を計測し、充填性確認試験体内の流動状況を目視により確認する。
【００４０】
これにより、梁状構造部材を形成する際のコンクリートの充填性能を模擬的に把握することができる。
【００４１】
尚、上述の実施例では、開閉式短辺側面型板及び開閉式長辺側面型板をスライド開閉可能に構成した例について説明したが、蝶番式等、その他の手段で開閉可能となるように構成しても良い。
【００４２】
また、上述の実施例では、スライド溝を一対のスライド部材を平行配置に固定することにより形成した例について説明したが、その他、前後面両型板に直接スライド溝を形成するようにしてもよい。
【図面の簡単な説明】
【００４３】
【図１】本発明に係るコンクリートの充填性確認試験体を示す側面図である。
【図２】同上の充填性確認試験体を示す縦断面図である。
【図３】同上の充填性確認試験体を示す横断面図である。
【図４】図２中のＡ−Ａ線矢視部分拡大図である。
【図５】図１中のスタッドボルト状模擬部材の取り付け状態を示す断面図である。
【図６】柱状構造部材のコンクリートの充填性確認試験の各工程の状態を示す断面図である。
【図７】従来のコンクリート充填性確認試験の一例の概略を示す断面図である。
【図８】コンクリート間隙通過性試験の一例の概略を示す断面図である。
【図９】コンクリート流動性試験の一例の概略を示す断面図である。
【図１０】同上のコンクリート充填性確認試験の他の一例を示す断面図である。
【符号の説明】
【００４４】
２０  充填性確認試験体
２１  前面型板
２２  後面型板
２３  固定式短辺側面型板
２４  固定式長辺側面型板
２５  試験体本体
２６  開閉式短辺側面型板
２７  開閉式長辺側面型板
２８ａ  スライドガイド部材
２８  スライド溝
２９  固定用ネジ穴
３０  棒状障害物（スタッドボルト状模擬部材）
３１  ネジ部
３２  補強用ナット
３３  スライド用取手
３４  フープ筋
３５  コンクリート
【図１】
2006112927.tif 000003
【図２】
2006112927.tif 000004
【図３】
2006112927.tif 000005
【図４】
2006112927.tif 000006
【図５】
2006112927.tif 000007
【図６】
2006112927.tif 000008
【図７】
2006112927.tif 000009
【図８】
2006112927.tif 000010
【図９】
2006112927.tif 000011
【図１０】
2006112927.tif 000012